(57)【要約】【課題】床構造体を支持する束の間隔が狭い床下や、ベッド下などに設置して活用できる回転収納庫を提供する。【解決手段】平面形状が略半円形のコンテナ２を当該半円形の中心位置又はその付近に位置する垂直軸心７の周りで回転可能に支持した構成。具体的には、複数個のコンテナ単体４を前記垂直軸心７の周方向に配列して前記半円形コンテナが構成される。この場合、各コンテナ単体４の外周辺側には、前記垂直軸心７と直交する水平軸線９ａと同心状に車輪９を軸支し、各コンテナ単体４の内端側は、前記垂直軸心７の周りに回転自在な回転板１５に連結して構成することができる。【選択図】図１
2008013914.tif 000002
【特許請求の範囲】
【請求項１】
平面形状が略半円形のコンテナを当該半円形の中心位置又はその付近に位置する垂直軸心の周りで回転可能に支持して成る、回転収納庫。
【請求項２】
前記コンテナが、複数個のコンテナ単体を前記垂直軸心の周方向に配列して構成されている、請求項１に記載の回転収納庫。
【請求項３】
各コンテナ単体の外周辺側には、前記垂直軸心と直交する水平軸心と同心状に車輪が軸支され、各コンテナ単体の内端側は、前記垂直軸心の周りに回転自在な回転体に連結されている、請求項２に記載の回転収納庫。
【請求項４】
各コンテナ単体の平面形状及びサイズは、連結するコンテナ単体の増加により前記コンテナを略半円形から円形に変更できるように構成され、前記コンテナの回転中心である前記垂直軸心は、当該コンテナを略半円形から円形に変更したと仮定したときに当該円形コンテナの中心位置と一致するように構成されている、請求項３に記載の回転収納庫。
【請求項５】
前記コンテナが床下空間内で回転自在に設置されて床下回転収納庫を構成するものであって、当該コンテナは、床構造体を支持する束で囲まれた平面矩形のエリア内に設置できない大きさで且つその回転半径が前記束間の間隔よりも小さく、当該コンテナが、１つの束に前記垂直軸心が接近する位置で回転自在に設置されて、当該１つの束に回転周方向の一端側のコンテナ側面が隣接する正回転限姿勢と当該１つの束に回転周方向の他端側のコンテナ側面が隣接する逆回転限姿勢との間で正逆回転自在に構成され、正回転限姿勢でのコンテナと逆回転限姿勢でのコンテナとの仮想重なりコンテナ部分の真上位置において床構造体に物品出し入れ用開口部が設けられている、請求項１〜４の何れか１項に記載の回転収納庫。
【請求項６】
前記コンテナがベッド下空間内で回転自在に設置されるベッド下組み込み回転収納庫を構成するものであって、当該コンテナの回転周方向の一端側のコンテナ側面と回転周方向の他端側のコンテナ側面とがベッドの側辺と略平行になる位置で露出した押し操作面となるように回転自在に設置され、当該コンテナの収納空間の略全域をベッドの外側へ露出させることができるように構成されている、請求項１〜４の何れか１項に記載の回転収納庫。
【請求項７】
前記コンテナが、複数個のコンテナ単体を前記垂直軸心の周方向に配列して構成されると共に、当該コンテナの直線部側には、当該コンテナの回転周方向の両端間にわたって連続し且つベッドの側辺と略平行になる外装側壁板が装着され、前記垂直軸心は、前記外装側壁板よりも内側に配置されている、請求項６に記載の回転収納庫。
【請求項８】
前記コンテナがベッド下空間内で回転自在に設置されるベッド下組み込み回転収納庫を構成するものであって、当該コンテナの回転周方向の一端側のコンテナ側面がベッドの側辺と略平行になる位置で露出した引き出し操作面となると共に、当該コンテナの回転周方向の他端側のコンテナ側面がベッドの側壁の内側に隠されているように回転自在に設置され、当該コンテナの収納空間の略全域をベッドの外側へ露出させることができるように構成されている、請求項１〜４の何れか１項に記載の回転収納庫。
【発明の詳細な説明】
【技術分野】
【０００１】
本発明は、床下やベッド下などに設置して使用される回転収納庫に関するものである。
【背景技術】
【０００２】
床下回転収納庫としては、円形のターンテーブル上に複数個のコンテナ単体を円周上に載置して成るものや、平面形状が扇面形の車輪付きコンテナ単体を垂直軸心の周りに回転可能に環状に連結して成るものが、特許文献を開示するまでもなく従来周知であるが、この従来周知の床下回転収納庫は、全て回転中心の周り全周に収納部（コンテナ）を備えた、平面形状が円形のものであった。
【発明の開示】
【発明が解決しようとする課題】
【０００３】
上記のような従来周知の平面形状が円形の回転収納庫では、床下回転収納庫として床構造体を支持する束に干渉されずに設置するために、束で囲まれた１つの平面矩形の床下空間内に納まるサイズであることが必須要件となるため、一般木造建築の建物のように束間の間隔が比較的小さい床下には、相当半径の小さな回転収納庫でなければ設置することができない。この種の回転収納庫において回転半径が小さいということは、束で囲まれた１つの平面矩形の床下空間のサイズに対して収納空間に利用できている有効率が大巾に小さく、コスト高になることは否めない。
【課題を解決するための手段】
【０００４】
本発明は上記のような従来の問題点を解消し得る回転収納庫を提供することを目的とするものであって、その手段を後述する実施形態の参照符号を付して示すと、平面形状が略半円形のコンテナ２を当該半円形の中心位置又はその付近に位置する垂直軸心７の周りで回転可能に支持した構成となっている。
【０００５】
上記構成の本発明を実施するについて、具体的には請求項２に記載のように、前記コンテナ２を、複数個のコンテナ単体４を前記垂直軸心７の周方向に配列して構成することができる。この場合、請求項３に記載のように、各コンテナ単体４の外周辺側には、前記垂直軸心７と直交する水平軸線９ａと同心状に車輪９を軸支し、各コンテナ単体４の内端側は、前記垂直軸心７の周りに回転自在な回転体（回転板１５）に連結して構成することができる。各コンテナ単体４の回転周方向の相対位置は、隣接するコンテナ単体４どうしを直接連結することにより決まるようにしても良いし、前記回転体（回転板１５）に対し各コンテナ単体４を回転周方向に関して剛結合することにより決まるようにしても良い。更に、請求項４に記載のように、各コンテナ単体４の平面形状及びサイズは、連結するコンテナ単体４の増加により前記コンテナ２を略半円形から円形に変更できるように構成し、前記コンテナ２の回転中心である前記垂直軸心７は、当該コンテナ２を略半円形から円形に変更したと仮定したときに当該円形コンテナの中心位置と一致するように構成することができる。
【０００６】
又、本発明の回転収納庫を、前記コンテナ４が床下空間内で回転自在に設置された床下回転収納庫１として使用する場合、請求項５に記載のように、当該コンテナ２は、床構造体２９を支持する束３２ａ〜３２ｄで囲まれた平面矩形のエリア内に設置できない大きさで且つその回転半径が前記束３２ａ，３２ｄ間の間隔よりも小さく構成し、当該コンテナ２を、１つの束３２ａに前記垂直軸心７が接近する位置で回転自在に設置すると共に、当該１つの束３２ａに回転周方向の一端側のコンテナ側面２ａが隣接する正回転限姿勢と当該１つの束３２ａに回転周方向の他端側のコンテナ側面２ｂが隣接する逆回転限姿勢との間で正逆回転自在に構成し、正回転限姿勢でのコンテナ２と逆回転限姿勢でのコンテナ２との仮想重なりコンテナ部分の真上位置において床構造体２９に物品出し入れ用開口部３０を設けることができる。
【０００７】
更に、本発明の回転収納庫をベッド下組み込み回転収納庫３６として設置するときは、請求項６に記載のように、前記コンテナ２の回転周方向の一端側のコンテナ側面２ａと回転周方向の他端側のコンテナ側面２ｂとがベッド３３の側辺と略平行になる位置で露出した押し操作面となるように回転自在に設置し、当該コンテナ２の回転により当該コンテナ２の収納空間の略全域をベッド３３の外側へ露出させることができるように構成することができる。この場合、複数個のコンテナ単体４を前記垂直軸心７の周方向に配列して前記コンテナ２を構成するときは、請求項７に記載のように、当該コンテナ２の直線部側には、当該コンテナ２の回転周方向の両端間にわたって連続し且つベッド３３の側辺と略平行になる外装側壁板４１を装着し、前記垂直軸心７は、前記外装側壁板４１よりも内側に配置することができる。
【０００８】
又、本発明の回転収納庫をベッド下組み込み回転収納庫３６として設置するときは、請求項８に記載のように、前記コンテナ２の回転周方向の一端側のコンテナ側面２ａがベッド３３の側辺と略平行になる位置で露出した引き出し操作面となると共に、当該コンテナ２の回転周方向の他端側のコンテナ側面２ｂがベッド３３の側壁３５ａの内側に隠されているように回転自在に設置し、当該コンテナ２の収納空間の略全域をベッド３３の外側へ露出させることができるように構成することもできる。
【発明の効果】
【０００９】
上記構成の本発明に係る回転収納庫によれば、請求項５に記載のように、床下回転収納庫として使用したり、請求項６や８に記載のようにベッド下組み込み回転収納庫として使用することができるのであるが、特に床下回転収納庫として使用する場合、平面形状が略半円形のコンテナを、床構造体を支持する束で囲まれた平面矩形のエリア内では収まりきらずに隣接する平面矩形のエリア内に張り出すような大きさであるが、その回転半径が前記束間の間隔よりも小さいように構成しさえすれば、この略半円形のコンテナ全体の平面積が、束で囲まれた平面矩形のエリアの平面積と比較して極端に小さくなるのを抑えることができ、床構造体を支持する束の間隔が比較的狭い床下空間に設置できる床下回転収納庫として実施した場合でも、収納効率において対費用効果の大きい床下回転収納庫を構成することができる。
【００１０】
尚、平面形状が略半円形のコンテナは、１つのコンテナ（収納空間が仕切り板で仕切られているもの、又は収納空間を仕切り板で仕切ることができるものを含む）として構成することもできるが、請求項２に記載の構成によれば、前記コンテナの全体の平面積と比較して大巾に小さなコンテナ単体を利用して当該コンテナを構成することができるので、材料の設置現場までの搬送や保管に便利であるにもかかわらず、設置現場で平面形状が略半円形の大きなコンテナそのものを板材などを組み合わせて組み立てる場合と比較して、強度の大きなコンテナを容易に組み立てることができる。特に上記のように床下回転収納庫として利用する場合に効果的である。この請求項２に記載の構成は、前記垂直軸心の周りに回転自在な略半円形の回転盤を併用し、各コンテナ単体をこの回転盤上に回転周方向に配列支持させることにより実施することも可能である。
【００１１】
又、請求項３に記載の構成によれば、設置面の所定位置に前記垂直軸心の周りに回転自在な回転体を設置しておき、後は外周辺側に車輪を備えた各コンテナ単体の内端側を前記回転体に連結するだけ（必要に応じて、隣接するコンテナ単体どうしを直接連結する）で良いので、前記のように各コンテナ単体を支持する回転盤を併用しないで済み、一層設置作業が容易に行えると共に安価に実施することができる。更に、請求項４に記載の構成によれば、中心位置に設置する前記回転体を全周にコンテナ単体の内端部を連結できる構造とするだけで、略半円形のコンテナを組み立てるための車輪付きコンテナ単体の個数を増やして、従来周知の平面円形の環状コンテナを使用する回転収納庫を構成することもでき、コンテナ単体を有効利用できる。
【００１２】
尚、本発明の回転収納庫を、前記コンテナが床下空間内で回転自在に設置された床下回転収納庫として使用する場合、請求項５に記載の構成によれば、床構造体に設ける物品出し入れ用開口部の大きさを特別に大きくしたり複数箇所に設けることなく実施することができる。
【００１３】
又、本発明の回転収納庫は、平面形状が略半円形のコンテナを使用するものであるから、ベッド下組み込み回転収納庫としても利用できるのであるが、この場合、請求項６に記載の構成によれば、コンテナの回転周方向の一端側のコンテナ側面と回転周方向の他端側のコンテナ側面とを両方をコンテナ回転操作時の押し操作面として利用できるので、この平面形状が略半円形のコンテナの略直線状の側辺側には特に把手を設ける必要がない。更に、請求項７に記載の構成によれば、平面形状が略半円形のコンテナが複数個のコンテナ単体を回転周方向に配列して構成されるものでありながら、当該コンテナの直線部側に装着された外装側壁板を、側壁を備えたベッドの当該側壁の一部として兼用させることができ、回転収納庫を組み込んでいることを外観意匠上目立たせることなくベッド下に回転収納庫を組み込んで活用できる。
【００１４】
更に、本発明の回転収納庫をベッド下組み込み回転収納庫として利用する場合、請求項８に記載の構成によれば、平面形状が略半円形のコンテナの回転周方向の一端側のコンテナ側面側のみをベッドの側壁に露出させれば良いので、ベッドの側壁に回転収納庫組み込みのために必要な開口部を小さくすることができる。
【発明を実施するための最良の形態】
【００１５】
以下に本発明の具体的実施例を添付図に基づいて説明すると、図１及び図２において、１は床下回転収納庫であって、平面形状が略半円形のコンテナ２と中心位置決め手段３とから構成されている。半円形コンテナ２は、円形を周方向に等角度で整数個に分割した略扇面形の平面形状をもったコンテナ単体４を、側辺どうしをコンテナ間連結手段５により連結して構成されている。中心位置決め手段３は、床下空間の底面である設置面６の上に設置されたもので、半円形コンテナ２の内周辺側を、当該半円形コンテナ２の中心と一致する垂直軸心７の周りに回転自在に支持する。
【００１６】
コンテナ単体４は、着脱自在に被せられる蓋８と共に合成樹脂で成形されたもので、その外周辺底部には、垂直軸心７と直交し且つ当該コンテナ単体２の回転周方向の巾の中心位置を通る水平軸線９ａと同心状に１つの車輪９が軸支されている。この車輪９は着脱自在なもので、車輪９を取り外した状態の各コンテナ単体４は、入れ子式に上下方向にネスティングすることができるように、全側壁部が底側ほど内側に入り込むように傾斜している。又、開口部周縁には、外側に張り出すように下向き折り返しリブ４ａが一体成形されている。更に、図示省略したが、この種の合成樹脂製コンテナにおいて従来周知のように、底部や蓋８には、補強用のリブが一体成形されるものである。
【００１７】
以下、構造を詳細に説明すると、中心位置決め手段３は、図２及び図３に示すように、基板１０と、この基板１０上に突設された固定軸部１１に対し自動調心軸受１２を介して垂直軸心７の周りに回転自在に支持された回転板１５とから構成されたもので、基板１０は、当該基板１０に設けられた周方向複数個の取付孔１０ａを利用するアンカーボルトによる取り付け方法や接着剤による取り付け方法により設置面６上に据え付けられる。回転板１５には、各コンテナ単体４ごとに舌片状取付座部１５ａが形成されるように、周方向等間隔おきに放射状の切り込み１３が設けられ、各舌片状取付座部１５ａには垂直ネジ孔１４が設けられている。回転板１５は、各舌片状取付座部１５ａが上下に弾性変形できるように材質と板厚が設定されており、従って、各垂直ネジ孔１４は、回転板１５に設けられた垂直貫通孔と同心状にナット１４ａを回転板１５の底面に固着して構成している。
【００１８】
車輪９を取り付けたコンテナ単体４は、図１及び図２に示すように、その先細り状の内端部４ｂを中心位置決め手段３の回転板１５における各舌片状取付座部１５ａに載置した状態で、当該内端部４ｂの底部に設けられている垂直ボルト孔（座ぐり孔）２２に下向きに挿通したボルト（皿ボルト）２３を回転板１５側の垂直ネジ孔１４（ナット１４ａ）に螺合締結することにより、内端部４ｂが回転板１５に連結されている。このときコンテナ単体４の外周辺の車輪９が設置面６上に当接することにより、コンテナ単体４は略水平に支持されることになる。
【００１９】
上記のように内端部４ｂを回転板１５に支持連結させた各コンテナ単体４は、回転周方向に隣接するコンテナ単体４とコンテナ間連結手段５により連結される。このコンテナ間連結手段５は、各コンテナ単体４の左右両側辺の長さ方向の２箇所に設けられたもので、図４〜図６に示すように、各コンテナ単体４の左右両側辺に設けられた垂直向きの被係止板部２４と嵌合連結具２５とから構成されている。具体構造を説明すると、コンテナ単体４の前記下向き折り返しリブ４ａの下側には、コンテナ間連結手段５が設けられる箇所において、横断面形状が閉じた矩形枠状の下側開放の突出部２６が一体成形されている。この突出部２６は、前記下向き折り返しリブ４ａの下辺から一体に連設された水平板部２６ａと当該水平板部２６ａから垂直下向きに一体に連設された前記被係止板部２４、及び水平板部２６ａと被係止板部２４との左右両側辺をコンテナ単体４の側壁４ｃに一体に結合する左右両連結板部２６ｂによって構成されている。而して、突出部２６の水平板部２６ａには開口２７が設けられると共に、被係止板部２４には、前記開口２７より巾が狭く且つ上下方向に長い縦孔部２８が開口２７と連通するように設けられ、当該縦孔部２８の入り口には、巾が狭まった括れ部２８ａ（図６参照）が設けられている。
【００２０】
一方、嵌合連結具２５は、水平軸部２５ａとその両端に設けられた膨出頭部２５ｂ，２５ｃ、及び水平軸部２５ａの中間位置に設けられたスペーサー部２５ｄとから構成されている。而して、膨出頭部２５ｂ，２５ｃの内側面とスペーサー部２５ｄの両側面は、突出球面又は突出円錐面に形成されている。
【００２１】
上記のように各コンテナ単体４の内端部４ｂを回転板１５に支持連結させたとき、各コンテナ単体４の前記突出部２６が互いに隣接することになるので、上記の嵌合連結具２５を、互いに隣接する両突出部２６における被係止板部２４間に跨がって下向きに嵌合させる。即ち、互いに隣接する両突出部２６における被係止板部２４間に嵌合連結具２５のスペーサー部２５ｄが嵌まり込むと共に、嵌合連結具２５の両端の膨出頭部２５ｂ，２５ｃが互いに隣接する両突出部２６における開口２７より当該突出部２６内に嵌まり込むように、嵌合連結具２５の水平軸部２５ａを両突出部２６における縦孔部２８内に下向きに嵌入させる。このとき、水平軸部２５ａが縦孔部２８の入り口の括れ部２８ａと干渉して抵抗を受けるが、そのまま強く嵌合連結具２５を押し込むことにより、括れ部２８ａを通過して水平軸部２５ａが縦孔部２８内に入り込むように、括れ部２８ａの位置での縦孔部２８の内巾が設定されている。
【００２２】
上記のように嵌合連結具２５を、互いに隣接する両突出部２６における被係止板部２４間に跨がって下向きに嵌合させることにより、一方のコンテナ単体４の被係止板部２４が嵌合連結具２５の一方の膨出頭部２５ｂとスペーサー部２５ｄとの間に挟まれると共に、他方のコンテナ単体４の被係止板部２４が嵌合連結具２５の他方の膨出頭部２５ｃとスペーサー部２５ｄとの間に挟まれることになり、隣接する両コンテナ単体４が互いに離間できない状態に連結されることになる。このとき嵌合連結具２５が上方に不測に離脱することは、当該嵌合連結具２５における水平軸部２５ａと縦孔部２８の括れ部２８ａとの干渉により阻止されているが、コンテナ単体４どうしの連結を解除して各コンテナ単体４を分割して取り外すときには、突出部２６内に下から指先を差し入れて嵌合連結具２５を一定以上の力で上向きに強く押し上げることにより、嵌合連結具２５を取り外すことができる。
【００２３】
一方、図１に示すように、床下回転収納庫１が設置される床下空間の上側の床構造体（大引きとこの上に配列された小根太、及び小根太上に敷設された床材などから構成され且つ束によって支持される）２９には、半円形コンテナ２を構成している１つのコンテナ単体４の全体を平面視において含むことができるサイズの物品出し入れ用開口部３０が設けられている。図示省略しているが、この開口部３０には開閉自在（着脱自在を含む）な蓋板が併設される。従って、床下回転収納庫１に対して物品の出し入れを行うときは、床構造体２９の開口部３０から手を差し入れて半円形コンテナ２を垂直軸心７の周りで回転させ、作業対象のコンテナ単体４を開口部３０の真下位置に位置させる。このときの半円形コンテナ２の回転操作を容易にするために、図１に示すように、蓋８の適当箇所、例えば図示例のように蓋８の垂直軸心（回転中心）７から最も遠い位置の回転周方向の巾が最大になる外周辺の上側に、操作用突起部３１を一体に突設させておくことができる。
【００２４】
半円形コンテナ２の回動操作により、目的のコンテナ単体４を物品出し入れ用開口部３０の真下位置に移動させたならば、図１Ｂに示すように当該コンテナ単体４の蓋８を開いて物品の出し入れを行うことができる。
【００２５】
以上のように本発明の回転収納庫は、床下回転収納庫として床下に設置して利用できるものであるが、図７に示すように、床構造体２９を支持する４つの束３２ａ〜３２ｄで囲まれた平面矩形の１つのエリアの対角方向に位置する２つの束３２ａ，３２ｃ（又は３２ｂ，３２ｄ）間の間隔が前記半円形コンテナ２の直径よりも小さい場合、束３２ａ〜３２ｄで囲まれた平面矩形の１つのエリア内に上記構成の床下回転収納庫１を設置することができない。このような場合、図７に示すように、平面矩形の１つのエリアの一辺の両端に位置する２つの束、例えば束３２ａ，３２ｄ間の間隔よりも前記半円形コンテナ２の半径が小さければ、設置して使用することができる。
【００２６】
即ち、図７に示すように、中心位置決め手段３（垂直軸心７）を１つの束、例えば束３２ａに隣接するように設置する。この結果、当該束３２ａに半円形コンテナ２の回転周方向の一端側のコンテナ側面２ａが隣接する正回転限姿勢（図７Ａ）と、当該１つの束３２ａに回転周方向の他端側のコンテナ側面２ｂが隣接する逆回転限姿勢（図７Ｂ）との間で、半円形コンテナ２が正逆回転自在となるので、正回転限姿勢（図７Ａ）での半円形コンテナ２と逆回転限姿勢（図７Ｂ）での半円形コンテナ２との仮想重なりコンテナ部分の真上位置で床構造体２９に物品出し入れ用開口部３０を設けることにより、半円形コンテナ２の正逆回転により、当該半円形コンテナ２の全ての収納領域を前記物品出し入れ用開口部３０の真下位置に位置させることができる。
【００２７】
この図示の実施形態では、正回転限姿勢（図７Ａ）での半円形コンテナ２の正回転方向の後端に位置する１つのコンテナ単体４と逆回転限姿勢（図７Ｂ）での半円形コンテナ２の逆回転方向の後端に位置する１つのコンテナ単体４とが略同一位置に位置するように構成されており、前記物品出し入れ用開口部３０は、当該略同一位置に位置する１つのコンテナ単体４の真上位置において、平面視において当該１つのコンテナ単体４の全体を含む大きさの平面矩形で且つその側辺が束３２ａ，３２ｄを結ぶ方向と平行に向きに設けられている。
【００２８】
上記の実施形態に示した半円形コンテナ２を構成する各コンテナ単体４の平面形状及びサイズは、当該コンテナ単体４の個数を倍増することにより、図８Ａに示すように半円形コンテナ２を環状コンテナ（円形コンテナ）とすることができるものである。この場合、半円形コンテナ２の回転周方向の両端を結ぶ仮想線よりも、平面視において外側に半円形コンテナ２の回転中心である垂直軸心７が位置することになるが、図８Ｂに示すように、半円形コンテナ２の回転周方向の両端を結ぶ仮想線よりも、平面視において内側に半円形コンテナ２の回転中心である垂直軸心７が位置するように構成しても良い。尚、図８Ａに示すようにコンテナ単体４を環状コンテナ（円形コンテナ）の組み立てにも利用できるように構成する場合、全てのコンテナ単体４の両側辺に前記コンテナ間連結手段５の被係止板部２４を備えた突出部２６を形成しておくのが望ましい。勿論、このようにコンテナ単体４の個数を倍増して環状コンテナ（円形コンテナ）を構成する場合には、中心位置決め手段３の回転板１５は、全周に舌片状取付座部１５ａを設けた円形のものに置き換えられる。
【００２９】
又、半円形コンテナ２を構成するコンテナ単体４の個数は、図示例の４つに限定されない。例えばコンテナ単体４の中心角を狭めることにより５つ又はそれ以上の個数のコンテナ単体４を使用して１つの半円形コンテナ２を組み立てることができる。この場合、半円形コンテナ２を組み立てるコンテナ単体４の個数を１つ程度の範囲で増減することにより、半円形コンテナ２の中心角を１８０度より小さいか又は大きくすることができる。
【００３０】
又、半円形コンテナ２を構成する各コンテナ単体４の外周辺側には、図８Ｃに示すように、複数個、好ましくは２つの車輪９Ａ，９Ｂを設けることもできる。勿論、各車輪９Ａ，９Ｂの軸心を通る水平軸線９ａは、この半円形コンテナ２の回転中心である垂直軸心７と直交するものである。
【００３１】
尚、本発明の回転収納庫は、先に説明したように床下回転収納庫１として利用できるだけでなく、ベッド下組み込み回転収納庫としても活用できる。即ち、図９及び図１０に示すように、半円形コンテナ２をベッド３３の下側空間（マットレス３４を支持する台枠構造体３５の内部空間）に設置するベッド下組み込み回転収納庫３６としても利用することができる。図示の構成では、半円形の底板３７、当該底板３７の直線辺から立ち上がる直線状側板３８、底板３７の半円形側辺から立ち上がる円弧形側板３９、及び放射状の仕切り板４０から構成された半円形コンテナ２を使用し、直線状側板３８がベッド３３の台枠構造体３５の側壁３５ａと面一になるように、回転自在に設置している。勿論、半円形コンテナ２の回転中心となる前記垂直軸心７と同心状の垂直軸７ａは、直線状側板３８の内側に位置し、ベッド３３の台枠構造体３５に支承されている。尚、図９では、車輪９の図示を省略している。
【００３２】
上記の構成によれば、半円形コンテナ２の回転周方向の一端側のコンテナ側面２ａ（前記直線状側板３８の一端側の表面）と、回転周方向の他端側のコンテナ側面２ｂ（前記直線状側板３８の他端側の表面）とがベッド３３の側辺、即ち、台枠構造体３５の側辺と略平行になる位置で露出した押し操作面となっており、一方の押し操作面であるコンテナ側面２ａと他方の押し操作面であるコンテナ側面２ｂとの内、何れか一方を押して、半円形コンテナ２を正逆回転させることにより、図１０に示すように、半円形コンテナ２の収納空間の略全域をベッドの外側へ露出させることができる。
【００３３】
上記のように、ベッド下組み込み回転収納庫を構成する半円形コンテナ２も、先に実施形態と同様に、複数個のコンテナ単体４を回転周方向に配列して構成することができるが、この場合、図１１に示すように、半円形コンテナ２の直線部側には、当該半円形コンテナ２の回転周方向の両端間にわたって連続し且つベッド３３の側辺、即ち、台枠構造体３５の側辺と略平行になる外装側壁板４１を装着することができる。この半円形コンテナ２の回転中心となる前記垂直軸心７と同心状の垂直軸７ａは、前記外装側壁板４１よりも内側に位置し、ベッド３３の台枠構造体３５に支承されている。
【００３４】
又、本発明の回転収納庫をベッド下組み込み回転収納庫として使用する場合、図１２に示すように、半円形コンテナ２の中心角が１８０度より適当に小さくなるように構成し、この半円形コンテナ２を、その回転周方向の一端側のコンテナ側面２ａがベッド３３の台枠構造体３５の側辺と略平行になる位置で露出した引き出し操作面となると共に、当該半円形コンテナ２の回転周方向の他端側のコンテナ側面２ｂがベッド３３の台枠構造体３５の側壁３５ａの内側に隠されているように回転自在に設置することができる。従ってこの場合には、前記引き出し操作面となるコンテナ側面２ａには、引き出し用把手４２が設けられる。この構成によれば、引き出し用把手４２を利用して半円形コンテナ２の回転周方向の一端側を引き出すようにして当該半円形コンテナ２を回転させることにより、当該半円形コンテナ２の収納空間の略全域をベッド３３の外側へ露出させることができる。この半円形コンテナ２をベッド３３の台枠構造体３５内に仕舞うときは、当該半円形コンテナ２の適当な箇所を押して逆回転させれば良い。
【００３５】
尚、図９〜図１１に示す実施形態では、ベッド３３の台枠構造体３５は、側壁３５ａを持たないフレーム構造のものであっても良い。又、半円形コンテナ２を回転自在に軸支する中心位置決め手段３は、台枠構造体３５の上側部分から垂下するように設けることができる。更に、半円形コンテナ２（各コンテナ単体４）の外周辺側の車輪９がベッド３３を設置した床面上を転動するように構成するのが望ましいが、場合によっては、この車輪を無くして、半円形コンテナ２の全体がベッド３３の台枠構造体３５に吊り下げられた状態で回転するように構成することもできる。特に床面上を転動する車輪９を設けておくときは、半円形コンテナ２の蓋として、座面を兼用することができる蓋を組み合わせ、回転させてベッド３３から突出させた半円形コンテナ２をスツール状のソファーに利用できるように構成することも可能である。
【図面の簡単な説明】
【００３６】
【図１】Ａ図は回転収納庫全体の平面図、Ｂ図は同回転収納庫の直径方向両側に位置する２つのコンテナ単体と中心位置決め手段とを示す側面図である。
【図２】中心位置決め手段と各コンテナ単体内端部との連結構造を示す要部の縦断側面図である。
【図３】中心位置決め手段の平面図である。
【図４】コンテナ間連結手段を連結前の状態で示す要部の縦断側面図である。
【図５】コンテナ間連結手段を連結後の状態で示す要部の平面図である。
【図６】図４の要部の拡大斜視図である。
【図７】Ａ図及びＢ図は、回転収納庫を床下に配設するときの束との位置関係を説明する概略平面図である。
【図８】Ａ図及びＢ図は半円形コンテナとその回転中心である垂直軸心との位置関係を説明する概略平面図、Ｃ図はコンテナ単体の変形例を説明する概略平面図である。
【図９】ベッド下に配設した回転収納庫の非使用状態を示す概略斜視図である。
【図１０】ベッド下に配設した回転収納庫の使用状態を示す概略斜視図である。
【図１１】ベッド下に配設するときの回転収納庫の変形例を説明する概略平面図である。
【図１２】ベッド下に配設するときの回転収納庫の別の変形例を説明する概略平面図である。
【符号の説明】
【００３７】
１    床下回転収納庫
２    半円形コンテナ
３    中心位置決め手段
４    コンテナ単体
４ａ    コンテナ単体の開口部周縁の下向き折り返しリブ
４ｂ    コンテナ単体の先細り状の内端部
４ｃ    コンテナ単体の側壁
５    コンテナ間連結手段
６    床下の設置面
７    垂直軸心（環状コンテナの回転中心）
７ａ    垂直軸
８    コンテナ単体の蓋
９，９Ａ，９Ｂ    車輪
９ａ    車輪の軸心と同心の水平軸線
１５    回転板
２４    被係止板部
２５    嵌合連結具
２６    横断面矩形枠状の突出部
２９    床構造体
３０    物品出し入れ用開口部
３２ａ〜３２ｄ    床構造体を支持する束
３３    ベッド
３５    台枠構造体
３５ａ    台枠構造体の側壁
３６    ベッド下組み込み回転収納庫
３７    半円形の底板
３８    直線状側板
３９    円弧形側板
４０    仕切り板
４１    半円形コンテナの外装側壁板
４２    引き出し用把手
【図１】
2008013914.tif 000003
【図２】
2008013914.tif 000004
【図３】
2008013914.tif 000005
【図４】
2008013914.tif 000006
【図５】
2008013914.tif 000007
【図６】
2008013914.tif 000008
【図７】
2008013914.tif 000009
【図８】
2008013914.tif 000010
【図９】
2008013914.tif 000011
【図１０】
2008013914.tif 000012
【図１１】
2008013914.tif 000013
【図１２】
2008013914.tif 000014